(57)【要約】【課題】冷却ファンの交換作業性を改善する。【解決手段】本実施形態によれば、インバータ装置の筐体内部に配設された発熱部品を冷却する冷却ファンを当該インバータ装置に取り付ける取付構造であって、前記冷却ファンをスライドさせて収納するファンケースを前記インバータ装置の筐体に備える。また、本実施形態によれば、インバータ装置の筐体内部に配設された発熱部品を冷却する冷却ファンを当該インバータ装置に取り付ける取付方法であって、前記インバータ装置の筐体に備えられたファンケースに前記冷却ファンをスライドさせて収納する。【選択図】図４
2012243795.tif 000002
【特許請求の範囲】
【請求項１】
インバータ装置の筐体内部に配設された発熱部品を冷却する冷却ファンを当該インバータ装置に取り付ける取付構造であって、
前記冷却ファンをスライドさせて収納するファンケースを前記インバータ装置の筐体に備えたことを特徴とする冷却ファンの取付構造。
【請求項２】
前記ファンケースは、前記インバータ装置の筐体に回動可能に備えられていることを特徴とする請求項１に記載の冷却ファンの取付構造。
【請求項３】
前記ファンケースは、
当該ファンケースに対して前記冷却ファンがスライドされる方向に直交する軸を回動中心とする回動方向、および、当該ファンケースに対して前記冷却ファンがスライドされる方向に平行する軸を回動中心とする回動方向のうち少なくとも何れか１つの方向に回動可能に備えられていることを特徴とする請求項２に記載の冷却ファンの取付構造。
【請求項４】
前記ファンケースは、前記インバータ装置に設けられた電源端子接続部に対向する位置に、前記冷却ファンの電源端子を固定する電源端子固定部を備えることを特徴とする請求項１から３の何れか１項に記載の冷却ファンの取付構造。
【請求項５】
インバータ装置の筐体内部に配設された発熱部品を冷却する冷却ファンを当該インバータ装置に取り付ける取付方法であって、
前記インバータ装置の筐体に備えられたファンケースに前記冷却ファンをスライドさせて収納することを特徴とする冷却ファンの取付方法。
【発明の詳細な説明】
【技術分野】
【０００１】
本発明の実施形態は、冷却ファンの取付構造および取付方法に関する。
【背景技術】
【０００２】
インバータ装置の筐体内部に配設された発熱部品（例えば、半導体素子など）を冷却する冷却ファンを当該インバータ装置に取り付ける場合には、従来では、冷却ファンを、ファンケースに鋲螺類によって固定し、あるいは、ファンケースに爪部によって固定し、そして、このように冷却ファンを固定したファンケースを、インバータ装置の筐体に例えばスナップロックの爪構造によって着脱可能に取り付けている。
しかしながら、このような取付構造あるいは取付方法では、冷却ファンがファンケースに強固に固定されることから、例えば冷却ファンを交換する場合に、その冷却ファンの取り外し作業を容易に行うことができない。
【先行技術文献】
【特許文献】
【０００３】
【特許文献１】特開平７−２０３６８７号公報
【発明の概要】
【発明が解決しようとする課題】
【０００４】
そこで、冷却ファンの交換作業性を改善した冷却ファンの取付構造および取付方法を提供する。
【課題を解決するための手段】
【０００５】
本実施形態の冷却ファンの取付構造は、インバータ装置の筐体内部に配設された発熱部品を冷却する冷却ファンを当該インバータ装置に取り付ける取付構造であって、前記冷却ファンをスライドさせて収納するファンケースを前記インバータ装置の筐体に備える。
【０００６】
また、本実施形態の冷却ファンの取付方法は、インバータ装置の筐体内部に配設された発熱部品を冷却する冷却ファンを当該インバータ装置に取り付ける取付方法であって、前記インバータ装置の筐体に備えられたファンケースに前記冷却ファンをスライドさせて収納する。
【図面の簡単な説明】
【０００７】
【図１】第１実施形態に係るインバータ装置の外観を概略的に示す斜視図
【図２】インバータ装置の一部を拡大して示す斜視図
【図３】ファンケースを示す斜視図
【図４】ファンケースが開放した状態を示すインバータ装置の一側面図
【図５】ファンケースが開放した状態を示すインバータ装置の斜視図
【図６】第２実施形態に係る図１相当図
【図７】図５相当図
【図８】冷却ファンを取り外した状態を示すインバータ装置の斜視図
【図９】図３相当図
【図１０】第３実施形態に係る図１相当図
【図１１】第１回動構造を示す図５相当図
【図１２】第２回動構造を示す図５相当図
【図１３】図３相当図
【図１４】第１回動構造を示す図４相当図
【図１５】第２回動構造を示す図４相当図
【図１６】第４実施形態に係るものであり、（ａ）は冷却ファンの電源端子を取り付ける前の状態を示す図３相当図、（ｂ）は冷却ファンの電源端子を取り付けた後の状態を示す図３相当図
【図１７】ファンケースが開放した状態を示すインバータ装置の斜視図
【発明を実施するための形態】
【０００８】
（第１実施形態）
以下、第１実施形態を図１から図５を参照して説明する。図１は、インバータ装置１０の外観を概略的に示す斜視図である。なお、説明の便宜のため、図１に示す上下方向、左右方向および前後方向を、インバータ装置１０の上下方向、左右方向および前後方向として設定する。
インバータ装置１０は図１中、下部に、図示しない交流電源装置に接続される入力端子、並びに負荷（例えば図示しない誘導電動機）に接続される出力端子を備える。また、図示は省略するが、インバータ装置１０は、例えばＭＯＳＦＥＴやＩＧＢＴなどのスイッチング素子を３相ブリッジ接続して構成されるインバータ主回路、当該インバータ主回路を制御する制御部、その制御プログラムが格納された記憶手段などを備えている。こうして、インバータ装置１０は、前記交流電源装置から電源が与えられ、制御プログラムに基づきインバータ主回路が制御されることにより、誘導電動機を駆動するようになっている。なお、インバータ装置１０は、上記端子とは別に、図示しない外部装置（マスターコンピュータなどの外部の制御手段）に接続するための入出力端子を備えており、その外部装置との間で制御信号、データ信号、シリアル通信信号などの送受信が可能に構成されている。
【０００９】
図１に示すように、インバータ装置１０の筐体１１（本体）は例えば合成樹脂材料からなり、ほぼ矩形箱状をなす。この筐体１１の手前側たる前面側には、当該筐体１１に比し小さな矩形箱状をなす表示操作部１４が備えられている。
筐体１１内には、前記インバータ主回路など各種の電子部品などが収容されると共に、それらを冷却するための空冷装置が収容されている。また、空冷手段として、筐体１１の周壁には多数の放熱孔１５が形成されている。詳しい図示は省略するが、表示操作部１４は、操作パネル部として前記制御部に接続され、運転開始・停止などを入力するための各操作キーや、運転周波数などの各種パラメータを設定するための各設定キー、表示部などを備えている。この表示部は、現在の運転状態、運転周波数指令値、電圧、電流、入出力端子状態、トリップ履歴などを表示可能となっている。
【００１０】
次に、上記構成のインバータ装置１０において、冷却ファン１３（図４および図５参照）を収納するファンケース１２およびその周辺部分の構成について図２および図３も参照しながら詳細に説明する。この冷却ファン１３は、上記の空冷装置の一部を構成するものであり、主としてインバータ装置１０の筐体１１内に配設されている例えば半導体素子などの発熱部品を冷却（空冷）するものである。筐体１１内においてこの冷却ファン１３によって冷却される領域は冷却部として設定されており、筐体１１内部の発熱部品は、主として、この冷却部を中心に配設されている。
【００１１】
即ち、図２に示すように、インバータ装置１０の筐体１１の一部（ファンケース１２が取り付けられる部分、図では上部）には、全体としてほぼ矩形状に窪んだファンケース収納部２１が設けられている。そして、このファンケース収納部２１において相互に対向する１組の壁部２１ａ，２１ｂ（図では左右方向に対向する１組の壁部２１ａ，２１ｂ）には、１組の回動軸受２１ｃ，２１ｄおよび１組の固定爪嵌合部２１ｅ，２１ｆが形成されている。１組の回動軸受２１ｃ，２１ｄは、１組の壁部２１ａ，２１ｂのうち後側（１組の固定爪嵌合部２１ｅ，２１ｆとは反対側）の部分において、左右方向に相互に対向する位置に形成されている。また、１組の固定爪嵌合部２１ｅ，２１ｆは、１組の壁部２１ａ，２１ｂのうち前側（１組の回動軸受２１ｃ，２１ｄとは反対側）の部分において、左右方向に相互に対向する位置に形成されている。
【００１２】
一方、このファンケース収納部２１に収納されるファンケース１２は、図３に示すように、全体としてほぼ矩形状をなすベース板部１２ａと、このベース板部１２ａに一体的に形成され当該ベース板部１２ａからほぼ垂直に立設された１組の外壁１２ｂ，１２ｃおよび１組の内壁１２ｄ，１２ｅとを有している。
【００１３】
ベース板部１２ａは、そのほぼ中央部に、通気孔部１２ｆを有している。この通気孔部１２ｆは、後述するようにしてファンケース１２内に収納された冷却ファン１３に対向するようになっている。
【００１４】
１組の外壁１２ｂ，１２ｃは、このベース板部１２ａの外縁部において、相互に対向するように形成されている。また、１組の内壁１２ｄ，１２ｅは、１組の外壁１２ｂ，１２ｃよりも内側において、上記した通気孔部１２ｆを挟むようにして相互に対向するように形成されている。これら内壁１２ｄ，１２ｅ間に形成される空間（通気孔部１２ｆに対向する空間）は、後述するようにして冷却ファン１３が収納される冷却ファン収納部２２として機能するようになっている。
【００１５】
外壁１２ｂ，１２ｃには、外方に突出する１組の固定爪部（図では、外壁１２ｂに設けられた固定爪部１２ｇのみ示し、外壁１２ｃに設けられた固定爪部の図示は省略する）が形成されている。これら固定爪部は、外壁１２ｂ，１２ｃの一端部側（後述するようにしてインバータ装置１０の筐体１１に回動可能に取り付けられるファンケース１２の自由端側、図３では上端側）において相互に対向する位置に形成されている。これら固定爪部は、板ばね状に設けられており、ファンケース１２の内側（通気孔部１２ｆ側）に向かって弾性変形可能となっている。
【００１６】
また、外壁１２ｂ，１２ｃには、外方に突出する１組の回動軸部（図では、外壁１２ｂに設けられた回動軸部１２ｈのみ示し、外壁１２ｃに設けられた回動軸部の図示は省略する）が形成されている。これら回動軸部は、外壁１２ｂ，１２ｃの他端部側（後述するようにしてインバータ装置１０の筐体１１に回動可能に取り付けられるファンケース１２の基端側、図３では下端側）において相互に対向する位置に形成されている。また、この場合、これら回動軸部は、外壁１２ｂ，１２ｃの外側面から円柱状に突出している。
【００１７】
内壁１２ｄ，１２ｅの先端部には、内方に突出する２組のスライドガイド１２ｐ，１２ｑおよびスライドガイド１２ｒ，１２ｓが形成されている。スライドガイド１２ｐ，１２ｑは、ファンケース１２の一端側（固定爪部が設けられた側であり、図３では上端側）において相互に対応する位置に形成されている。また、スライドガイド１２ｒ，１２ｓは、ファンケース１２の他端側（回動軸部が設けられた側であり、図３では下端側）において相互に対向する位置に形成されている。これらスライドガイド１２ｐ〜１２ｓは、冷却ファン収納部２２内にスライドされる冷却ファン１３を案内する機能を有するとともに、当該冷却ファン１３を冷却ファン収納部２２内にて支持する機能を有する。
【００１８】
このように構成されたファンケース１２は、回動軸部の軸方向（図３に示す破線Ａ１参照）が、当該ファンケース１２に対して冷却ファン１３がスライドされる方向（図３および図４に示す矢印Ｂ１，Ｃ１方向参照、冷却ファン収納部２２を形成する内壁１２ｄ，１２ｅが延びる方向であり、以下、スライド方向と称する）に直交する構成となる。そして、ファンケース１２は、その回動軸部を、ファンケース収納部２１の回動軸受２１ｃ，２１ｄに回動可能に挿入することで、図４および図５に矢印Ｄ１，Ｅ１で示すように、インバータ装置１０の筐体１１に回動可能に取り付けられる。なお、図３および図４に示す矢印Ｂ１方向が冷却ファン１３の取り付け方向（挿入方向）であり、矢印Ｃ１方向が冷却ファン１３の取り外し方向である。また、図４および図５に示す矢印Ｄ１方向がファンケース１２の開放方向であり、矢印Ｅ１方向がファンケース１２の閉鎖方向である。
【００１９】
以上のような構成により、ファンケース１２は、インバータ装置１０の筐体１１に、冷却ファン１３のスライド方向（矢印Ｂ１，Ｃ１方向）に直交する回動軸部を回動中心とする回動方向（矢印Ｄ１，Ｅ１方向）に回動可能に備えられる。そして、このように取り付けられたファンケース１２が開放方向（矢印Ｄ１方向）に回動されると、冷却ファン収納部２２が外部に開放した状態となり、当該冷却ファン収納部２２内に冷却ファン１３をスライドして収納可能な状態となる。一方、ファンケース１２が閉鎖方向（矢印Ｅ１方向）に回動されると、固定爪部が固定爪嵌合部２１ｅ，２１ｆに嵌合し、これにより、ファンケース１２の回動がロックされるようになる。
【００２０】
このような構成のインバータ装置１０において、冷却ファン１３を取り付ける場合には、ファンケース１２を開放方向（矢印Ｄ１方向）に回動し、外部に開放した冷却ファン収納部２２内に冷却ファン１３を取り付け方向（矢印Ｂ１方向）にスライドさせて収納する。そして、冷却ファン１３を収納したファンケース１２を閉鎖方向（矢印Ｅ１方向）に回動し、当該ファンケース１２をインバータ装置１０の筐体１１にロックする。
【００２１】
一方、このように取り付けた冷却ファン１３を取り外す場合には、固定爪部を弾性変形させて固定爪嵌合部２１ｅ，２１ｆから外して固定爪部と固定爪嵌合部２１ｅ，２１ｆとの嵌合状態（ファンケース１２のロック状態）を解除し、ファンケース１２を開放方向（矢印Ｄ１方向）に回動する。そして、冷却ファン収納部２２内の冷却ファン１３を取り外し方向（矢印Ｃ１方向）にスライドさせて取り外す。
【００２２】
以上に説明したように本実施形態によれば、冷却ファン１３をファンケース１２内にスライドさせて収納する取付構造および取付方法を採用したので、冷却ファンを例えば鋲螺類や爪部によってファンケースに固定する取付構造や取付方法とは異なり、冷却ファン１３の交換作業（着脱作業）が格段に容易となり、その作業性を改善することができる。
このように、本実施形態は、ファンケース１２の回動方向を、ファンケース１２に対して冷却ファン１３がスライドされる方向（矢印Ｂ１，Ｃ１方向）に直交する軸Ａ１を回動中心とする回動方向（矢印Ｄ１，Ｅ１方向）に設定することが可能である。
【００２３】
（第２実施形態）
次に、第２実施形態を図６から図９を参照して説明する。本実施形態では、図６に示すファンケース３１の回動方向が、上述のファンケース１２の回動方向と異なっている。
即ち、図７および図８に示すように、インバータ装置１０の筐体１１の一部（ファンケース３１が取り付けられる部分）には、全体としてほぼ矩形状に窪んだファンケース収納部３２が設けられている。そして、このファンケース収納部３２において相互に対向する１組の壁部３２ａ，３２ｂ（図では前後方向に対向する１組の壁部３２ａ，３２ｂ）には、１組の回動軸受（図示せず）が形成されている。また、ファンケース収納部３２において壁部３２ａ，３２ｂ以外の一壁部３２ｃ（図では左方の壁部３２ｃ）には、１つの固定爪嵌合部３２ｄが形成されている。１組の回動軸受は、１組の壁部３２ａ，３２ｂのうち右側（固定爪嵌合部３２ｄとは反対側）の部分において、前後方向に相互に対向する位置に形成されている。また、固定爪嵌合部３２ｄは、一壁部３２ｃのうち前後方向のほぼ中央部に形成されている。
【００２４】
一方、このファンケース収納部３２に収納されるファンケース３１は、図９に示すように、全体としてほぼ矩形状をなすベース板部３１ａと、このベース板部３１ａに一体的に形成され当該ベース板部３１ａからほぼ垂直に立設された１組の内壁３１ｂ，３１ｃとを有している。
【００２５】
ベース板部３１ａは、そのほぼ中央部に、通気孔部３１ｄを有している。この通気孔部３１ｄは、後述するようにしてファンケース３１内に収納された冷却ファン１３に対向するようになっている。また、ベース板部３１ａの一端部（後述するようにしてインバータ装置１０の筐体１１に回動可能に取り付けられるファンケース３１の自由端側、図９では右側の端部）の前後方向のほぼ中央部には、外方に突出する１つの固定爪部３１ｅが形成されている。この固定爪部３１ｅは、板ばね状に設けられており、ファンケース３１の内側（通気孔部３１ｄ側）に向かって弾性変形可能となっている。
【００２６】
また、ベース板部３１ａの他端部側（後述するようにしてインバータ装置１０の筐体１１に回動可能に取り付けられるファンケース３１の基端側、図９では左端側）には、外方に突出する１組の回動軸部（図では、一方の回動軸部３１ｆのみ示し、他方の回動軸部の図示は省略する）が形成されている。これら回動軸部は、ベース板部３１ａの他端部側において相互に対向する位置に形成されている。また、この場合、これら回動軸部は、ベース板部３１ａの外側面から円柱状に突出している。
【００２７】
１組の内壁３１ｂ，３１ｃは、上記した通気孔部３１ｄを挟むようにして相互に対向するように形成されている。また、これら内壁３１ｂ，３１ｃの間には、間壁３１ｇが設けられている。上記した通気孔部３１ｄは、これら内壁３１ｂ，３１ｃおよび間壁３１ｇによって、一部（間壁３１ｇとは反対側の部分、図９では上側部分）のみが開放した状態で囲まれるようになっている。これら内壁３１ｂ，３１ｃおよび間壁３１ｇによって形成される空間は、後述するようにして冷却ファン１３が収納される冷却ファン収納部３３として機能するようになっている。
【００２８】
内壁３１ｂ，３１ｃの先端部には、内方に突出する２組のスライドガイド３１ｐ，３１ｑおよびスライドガイド３１ｒ，３１ｓが形成されている。スライドガイド３１ｐ，３１ｑは、ファンケース３１の一端側（冷却ファン収納部３３が開放する側であり、図９では上端側）において相互に対応する位置に形成されている。また、スライドガイド３１ｒ，３１ｓは、ファンケース３１の他端側（冷却ファン収納部３３が閉塞する側であり、図９では下端側）において相互に対向する位置に形成されている。これらスライドガイド３１ｐ〜３１ｓは、冷却ファン収納部３３内にスライドされる冷却ファン１３を案内する機能を有するとともに、当該冷却ファン１３を冷却ファン収納部３３内にて支持する機能を有する。なお、内壁３１ｂの両端部には、リブ３１ｗ，３１ｘが設けられている。また、内壁３１ｃの両端部には、リブ３１ｙ，３１ｚが設けられている。
【００２９】
このように構成されたファンケース３１は、回動軸部の軸方向（図９に示す破線Ａ２参照）が、当該ファンケース３１に対して冷却ファン１３がスライドされる方向（図８および図９に示す矢印Ｂ２，Ｃ２方向参照、冷却ファン収納部３３を形成する内壁３１ｂ，３１ｃが延びる方向、以下、スライド方向と称する）に平行する構成となる。そして、ファンケース３１は、その回動軸部を、ファンケース収納部３２の回動軸受に回動可能に挿入することで、図７および図８に矢印Ｄ２，Ｅ２で示すように、インバータ装置１０の筐体１１に回動可能に取り付けられる。なお、図８および図９に示す矢印Ｂ２方向が冷却ファン１３の取り付け方向（挿入方向）であり、矢印Ｃ２方向が冷却ファン１３の取り外し方向である。また、図７および図８に示す矢印Ｄ２方向がファンケース１２の開放方向であり、矢印Ｅ２方向がファンケース１２の閉鎖方向である。
【００３０】
以上のような構成により、ファンケース３１は、インバータ装置１０の筐体１１に、冷却ファン１３のスライド方向（矢印Ｂ２，Ｃ２方向）に平行する回動軸部を回動中心とする回動方向（矢印Ｄ２，Ｅ２方向）に回動可能に備えられる。そして、このように取り付けられたファンケース３１が開放方向（矢印Ｄ２方向）に回動されると、冷却ファン収納部３３が外部に開放した状態となり、当該冷却ファン収納部３３内に冷却ファン１３をスライドして収納可能な状態となる。一方、ファンケース３１が閉鎖方向（矢印Ｅ２方向）に回動されると、固定爪部３１ｅが固定爪嵌合部３２ｄに嵌合し、これにより、ファンケース３１の回動がロックされるようになる。
【００３１】
このような構成のインバータ装置１０において、冷却ファン１３を取り付ける場合には、ファンケース３１を開放方向（矢印Ｄ２方向）に回動し、外部に開放した冷却ファン収納部３３内に冷却ファン１３を取り付け方向（矢印Ｂ２方向）にスライドさせて収納する。そして、冷却ファン１３を収納したファンケース３１を閉鎖方向（矢印Ｅ２方向）に回動し、当該ファンケース３１をインバータ装置１０の筐体１１にロックする。
【００３２】
一方、このように取り付けた冷却ファン１３を取り外す場合には、固定爪部３１ｅを弾性変形させて固定爪嵌合部３２ｄから外して固定爪部３１ｅと固定爪嵌合部３２ｄとの嵌合状態（ファンケース３１のロック状態）を解除し、ファンケース３１を開放方向（矢印Ｄ２方向）に回動する。そして、冷却ファン収納部３３内の冷却ファン１３を取り外し方向（矢印Ｃ２方向）にスライドさせて取り外す。
【００３３】
以上に説明したように本実施形態によれば、冷却ファン１３をファンケース３１内にスライドさせて収納する取付構造および取付方法を採用したので、冷却ファンをファンケースに固定する取付構造や取付方法とは異なり、冷却ファン１３の交換作業（着脱作業）が格段に容易となり、その作業性を改善することができる。
このように、本実施形態は、ファンケース３１の回動方向を、ファンケース３１に対して前記冷却ファン１３がスライドされる方向（矢印Ｂ２，Ｃ２方向）に平行する軸Ａ２を回動中心とする回動方向（矢印Ｄ２，Ｅ２方向）に設定することが可能である。
【００３４】
（第３実施形態）
次に、第３実施形態を図１０から図１５を参照して説明する。本実施形態では、図１０に示すファンケース４１が複数方向（この場合、２方向）に回動可能である点が、単一方向に回動する上述のファンケース１２やファンケース３１と異なっている。
即ち、図１１および図１２に示すように、インバータ装置１０の筐体１１の一部（ファンケース４１が取り付けられる部分）には、全体としてほぼ矩形状に窪んだファンケース収納部４２が設けられている。そして、このファンケース収納部４２において相互に対向する１組の壁部４２ａ，４２ｂ（図では左右方向に対向する１組の壁部４２ａ，４２ｂ）には、相互に対向する２組の嵌合孔部（図１１に、壁部４２ａに設けられた各組の一方の嵌合孔部４２ｃ，４２ｄのみを示し、各組の他方の嵌合孔部の図示は省略する）が形成されている。これら嵌合孔部は、一方の組の嵌合孔部（例えば、嵌合孔部４２ｃおよび当該嵌合孔部４２ｃと組をなす壁部４２ｂ側の嵌合孔部）が回動軸受として機能する場合には他方の組の嵌合孔部（この場合、嵌合孔部４２ｄおよび当該嵌合孔部４２ｄと組をなす壁部４２ｂ側の嵌合孔部）が固定爪嵌合部として機能し、逆に、一方の組の嵌合孔部が固定爪嵌合部として機能する場合には他方の組の嵌合孔部が回動軸受として機能するようになっている。
【００３５】
また、１組の壁部４２ａ，４２ｂには、２組の嵌合孔部よりも内側に位置して、２組の操作用切り込み部（図１１に、壁部４２ａに設けられた各組の一方の操作用切り込み部４２ｅ，４２ｆ、および、操作用切り込み部４２ｆと組をなす壁部４２ｂ側の操作用切り込み部４２ｇを示し、図１２に、操作用切り込み部４２ｅと組をなす壁部４２ｂ側の操作用切り込み部４２ｈを示す）が形成されている。
【００３６】
一方、このファンケース収納部４２に収納されるファンケース４１は、図１３に示すように、全体としてほぼ矩形状をなすベース板部４１ａと、このベース板部４１ａに一体的に形成され当該ベース板部４１ａからほぼ垂直に立設された１組の外壁４１ｂ，４１ｃおよび１組の内壁４１ｄ，４１ｅとを有している。
【００３７】
ベース板部４１ａは、そのほぼ中央部に、通気孔部４１ｆを有している。この通気孔部４１ｆは、後述するようにしてファンケース４１内に収納された冷却ファン１３に対向するようになっている。
【００３８】
１組の外壁４１ｂ，４１ｃは、このベース板部４１ａの外縁部において、相互に対向するように形成されている。また、１組の内壁４１ｄ，４１ｅは、１組の外壁４１ｂ，４１ｃよりも内側において、上記した通気孔部４１ｆを挟むようにして相互に対向するように形成されている。これら内壁４１ｄ，４１ｅ間に形成される空間（通気孔部４１ｆに対向する空間）は、後述するようにして冷却ファン１３が収納される冷却ファン収納部４３として機能するようになっている。
【００３９】
外壁４１ｂ，４１ｃには、外方に突出する２組の突起部（図では、外壁４１ｂに設けられた各組の一方の突起部４１ｇ，４１ｈのみ示し、外壁４１ｃに設けられた突起部の図示は省略する）が形成されている。これら突起部は、一方の組の突起部（例えば、突起部４１ｇおよび当該突起部４１ｇと組をなす壁部４１ｃ側の突起部）が回動軸部として機能する場合には他方の組の突起部（この場合、突起部４１ｈおよび当該突起部４１ｈと組をなす壁部４１ｃ側の突起部）が固定爪部として機能し、逆に、一方の組の突起部が固定爪部として機能する場合には他方の組の突起部が回動軸部として機能するようになっている。
【００４０】
これら突起部は、外壁４１ｂ，４１ｃの一端部側（図１３では上端側）および他端部側（図１３では下端側）において、それぞれ相互に対向する位置に形成されている。また、この場合、これら回動軸部は、外壁４１ｂ，４１ｃの外側面から概ね円柱状に突出しているが、その一部（ファンケース４１がインバータ装置１０の筐体１１にロックされた状態、つまり、図１０に示すようにファンケース４１がファンケース収納部４２を閉塞した状態において、下側となる部分、図１３では手前側の部分）が斜めに切り落とされた形状となっている。
【００４１】
また、外壁４１ｂ，４１ｃの一端部側（図１３では上端側）および他端部側（図１３では下端側）、つまり、突起部が形成された部分は、板ばね状に設けられており、ファンケース４１の内側（通気孔部４１ｆ側）に向かって弾性変形可能となっている。また、この板ばね状に設けられた部分の先端部には、突起部の近傍に位置して、押し込み部（図では、外壁４１ｂに設けられた押し込み部４１ｍ，４１ｎのみ示し、外壁４１ｃに設けられた押し込み部の図示は省略する）が設けられている。
【００４２】
内壁４１ｄ，４１ｅの先端部には、内方に突出する２組のスライドガイド４１ｐ，４１ｑおよびスライドガイド４１ｒ，４１ｓが形成されている。スライドガイド４１ｐ，４１ｑは、相互に対応する位置に形成されている。また、スライドガイド４１ｒ，４１ｓは、相互に対向する位置に形成されている。これらスライドガイド４１ｐ〜４１ｓは、冷却ファン収納部４３内にスライドされる冷却ファン１３を案内する機能を有するとともに、当該冷却ファン１３を冷却ファン収納部４３内にて支持する機能を有する。
【００４３】
このように構成されたファンケース４１は、回動軸部（突起部４１ｇと当該突起部４１ｇと組をなす突起部からなる回動軸部、あるいは、突起部４１ｈと当該突起部４１ｈと組をなす突起部からなる回動軸部）の軸方向（図１３に示す破線Ａ３、あるいは、破線Ａ４参照）が、当該ファンケース４１に対して冷却ファン１３がスライドされる方向（図１３から図１５に示す矢印Ｂ３，Ｃ３方向参照、冷却ファン収納部４３を形成する内壁４１ｄ，４１ｅが延びる方向であり、以下、スライド方向と称する）に直交する構成となる。
【００４４】
そして、このファンケース４１は、第１回動方向に回動可能な第１回動構造（図１１および図１４に示す構造）および第２回動方向に回動可能な第２回動構造（図１２および図１５に示す構造）の何れかによって、インバータ装置１０の筐体１１に回動可能に取り付けられる。
【００４５】
即ち、第１回動構造では、ファンケース４１は、その回動軸部（突起部４１ｇと当該突起部４１ｇと組をなす壁部４１ｃ側の突起部からなる回動軸部、図１３に示す破線Ａ３参照）を、ファンケース収納部４２の回動軸受（嵌合孔部４２ｃおよび当該嵌合孔部４２ｃと組をなす壁部４２ｂ側の回動軸受）に回動可能に挿入することで、図１１および図１４に矢印Ｄ３ａ，Ｅ３ａで示すように、インバータ装置１０の筐体１１に回動可能に取り付けられる。この矢印Ｄ３ａ，Ｅ３ａで示す方向が第１回動方向である。
【００４６】
また、第２回動構造では、ファンケース４１は、その回動軸部（突起部４１ｈと当該突起部４１ｈと組をなす壁部４１ｃ側の突起部からなる回動軸部、図１３に示す破線Ａ４参照）を、ファンケース収納部４２の回動軸受（嵌合孔部４２ｄおよび当該嵌合孔部４２ｄと組をなす壁部４２ｂ側の回動軸受）に回動可能に挿入することで、図１２および図１５に矢印Ｄ３ｂ，Ｅ３ｂで示すように、インバータ装置１０の筐体１１に回動可能に取り付けられる。この矢印Ｄ３ｂ，Ｅ３ｂで示す方向が第２回動方向である。
【００４７】
なお、第１回動構造では、図１３および図１４に示す矢印Ｂ３方向が冷却ファン１３の取り付け方向（挿入方向）であり、矢印Ｃ３方向が冷却ファン１３の取り外し方向である。また、図１１および図１４に示す矢印Ｄ３ａ方向がファンケース４１の開放方向であり、矢印Ｅ３ａ方向がファンケース４１の閉鎖方向である。
【００４８】
また、第２回動構造では、図１３および図１５に示す矢印Ｃ３方向が冷却ファン１３の取り付け方向（挿入方向）であり、矢印Ｂ３方向が冷却ファン１３の取り外し方向である。即ち、第１回動構造と第２回動構造とでは、ファンケース４１に対する冷却ファン１３の取り付け方向および取り外し方向が相互に逆になる構成である。また、図１２および図１５に示す矢印Ｄ３ｂ方向がファンケース４１の開放方向であり、矢印Ｅ３ｂ方向がファンケース４１の閉鎖方向である。
【００４９】
以上のような構成により、ファンケース４１は、インバータ装置１０の筐体１１に、冷却ファン１３のスライド方向（矢印Ｂ３，Ｃ３方向）に直交する回動軸部を回動中心とする回動方向（第１回動構造では矢印Ｄ３ａ，Ｅ３ａ方向、第２回動構造では矢印Ｄ３ｂ，Ｅ３ｂ方向）に回動可能に備えられる。
【００５０】
そして、このように取り付けられたファンケース４１が開放方向（第１回動構造では矢印Ｄ３ａ方向、第２回動構造では矢印Ｄ３ｂ方向）に回動されると、冷却ファン収納部４３が外部に開放した状態となり、当該冷却ファン収納部４３内に冷却ファン１３をスライドして収納可能な状態となる。
【００５１】
一方、ファンケース４１が閉鎖方向（第１回動構造では矢印Ｅ３ａ方向、第２回動構造では矢印Ｅ３ｂ方向）に回動されると、回動軸部として機能していない突起部（第１回動構造では突起部４１ｈおよび当該突起部４１ｈと組をなす突起部、第２回動構造では突起部４１ｇおよび当該突起部４１ｇと組をなす突起部）が回動軸受として機能していない嵌合孔部（第１回動構造では嵌合孔部４２ｄおよび当該嵌合孔部４２ｄと組をなす嵌合孔部、第２回動構造では嵌合孔部４２ｃおよび当該嵌合孔部４２ｃと組をなす嵌合孔部）に嵌合し、これにより、ファンケース４１の回動がロックされるようになる。
【００５２】
このような構成のインバータ装置１０において、冷却ファン１３を取り付ける場合には、ファンケース４１を開放方向（第１回動構造では矢印Ｄ３ａ方向、第２回動構造では矢印Ｄ３ｂ方向）に回動し、外部に開放した冷却ファン収納部４３内に冷却ファン１３を取り付け方向（第１回動構造では矢印Ｂ３方向、第２回動構造では矢印Ｃ３方向）にスライドさせて収納する。そして、冷却ファン１３を収納したファンケース４１を閉鎖方向（第１回動構造では矢印Ｅ３ａ方向、第２回動構造では矢印Ｅ３ｂ方向）に回動し、当該ファンケース４１をインバータ装置１０の筐体１１にロックする。
【００５３】
このとき、図１０に示すように、ファンケース４１の各押し込み部（例えば、図１０に示す押し込み部４１ｍ，４１ｎ）は、操作用切り込み部（例えば、図１０に示す操作用切り込み部４２ｅ，４２ｆ）を介して外部に露出した状態となる。従って、ファンケース４１の各押し込み部を、外部から押し込むことが可能である。
【００５４】
一方、このように取り付けた冷却ファン１３を取り外す場合には、回動軸部として機能していない突起部、つまり、固定爪部として機能している突起部（第１回動構造では突起部４１ｈおよび当該突起部４１ｈと組をなす壁部４２ｂ側の突起部、第２回動構造では突起部４１ｇおよび当該突起部４１ｇと組をなす壁部４２ｂ側の突起部）を、外部に露出している押し込み部を押し込むことで弾性変形させて、回動軸受として機能していない嵌合孔部、つまり、固定爪嵌合部として機能している嵌合孔部（第１回動構造では嵌合孔部４２ｄおよび当該嵌合孔部４２ｄと組をなす壁部４２ｂ側の嵌合孔部、第２回動構造では嵌合孔部４２ｃおよび当該嵌合孔部４２ｃと組をなす壁部４２ｂ側の嵌合孔部）から外して、固定爪部と固定爪嵌合部との嵌合状態（ファンケース４１のロック状態）を解除する。そして、ファンケース４１を開放方向（第１回動構造では矢印Ｄ３ａ方向、第２回動構造では矢印Ｄ３ｂ方向）に回動する。そして、冷却ファン収納部４３内の冷却ファン１３を取り外し方向（第１回動構造では矢印Ｃ３方向、第２回動構造では矢印Ｂ３方向）にスライドさせて取り外す。
【００５５】
以上に説明したように本実施形態によれば、冷却ファン１３をファンケース４１内にスライドさせて収納する取付構造および取付方法を採用したので、冷却ファンを例えば鋲螺類や爪部によってファンケースに固定する取付構造や取付方法とは異なり、冷却ファン１３の交換作業（着脱作業）が格段に容易となり、その作業性を改善することができる。
このように、本実施形態は、ファンケース４１の回動方向を複数に設定することが可能である。
【００５６】
なお、本実施形態は、第１回動構造および第２回動構造を択一的に切り換え可能である。
また、本実施形態は、ファンケースを、冷却ファンのスライド方向に平行する軸を回動中心とする複数の回動方向に回動可能に備える構成としてもよい。
【００５７】
（第４実施形態）
次に、第４実施形態を図１６および図１７を参照して説明する。本実施形態では、図１６および図１７に示すファンケース５１の構成が、上述のファンケース１２の構成と異なっている。
即ち、ファンケース５１は、電源端子固定部５２を備える。この電源端子固定部５２は、インバータ装置１０の筐体１１に回動可能に取り付けられたファンケース５１が、閉鎖方向に回動されてその回動がロックされた場合において、インバータ装置１０に設けられた電源端子接続部５３（図１７参照）に対向する位置に設けられている。この場合、電源端子固定部５２は、ファンケース５１の外壁５１ａ，５１ｂ、あるいは、内壁５１ｃ，５１ｄが延びる方向、つまり、冷却ファン１３のスライド方向（図１６に示す矢印Ｂ４，Ｃ４方向）に沿って溝状に形成されている。なお、この場合、矢印Ｂ４方向が冷却ファン１３の取り付け方向（挿入方向）であり、矢印Ｃ４方向が冷却ファン１３の取り外し方向である。
【００５８】
従って、冷却ファン１３の電源端子１３ａも、当該冷却ファン１３のファンケース５１に対するスライド方向（矢印Ｂ４，Ｃ４方向）に沿って電源端子固定部５２にスライドされて固定される。このように電源端子固定部５２に固定された冷却ファン１３の電源端子１３ａは、電源端子固定部５２が電源端子接続部５３に対向する位置に設けられていることから、ファンケース５１が閉鎖方向（図１７に示す矢印Ｅ４方向）に回動されることに伴って（付随して）、電源端子接続部５３に接続される。
【００５９】
以上に説明したように本実施形態によれば、ファンケース５１をインバータ装置１０の筐体１１に回動可能に取り付けた構成を利用して、ファンケース５１を閉鎖方向に回動することに伴って冷却ファン１３の電源端子１３ａをインバータ装置１０側の電源端子接続部５３に自動的に接続するように構成した。従って、冷却ファン１３の取り付け作業者は、冷却ファン１３の電源端子１３ａの位置や電源端子接続部５３の位置を気にする必要がなく、冷却ファンの交換作業性（取付作業性）を一層改善することができる。
本実施形態は、インバータ装置１０側の電源端子接続部５３が、例えば、筐体１１の奥まった部分に設けられている場合、目視確認し難い部分に設けられている場合などに特に有効である。
【００６０】
以上に説明した少なくとも何れか１つの実施形態によれば、インバータ装置の筐体内部に配設された発熱部品を冷却する冷却ファンを当該インバータ装置に取り付ける取付構造であって、前記冷却ファンをスライドさせて収納するファンケースを前記インバータ装置の筐体に備える。また、以上に説明した少なくとも何れか１つの実施形態によれば、インバータ装置の筐体内部に配設された発熱部品を冷却する冷却ファンを当該インバータ装置に取り付ける取付方法であって、前記インバータ装置の筐体に備えられたファンケースに前記冷却ファンをスライドさせて収納する。これにより、冷却ファンの交換作業性（取付作業性）を改善することができる。
【００６１】
なお、本実施形態では、上述の各実施形態において共通の冷却ファン１３を使用することができる。
上述の各実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６２】
図面中、１０はインバータ装置、１１は筐体、１２，３１，４１，５１はファンケース、１３は冷却ファン、１３ａは電源端子、５２は電源端子固定部、５３は電源端子接続部を示す。
【図１】
2012243795.tif 000003
【図２】
2012243795.tif 000004
【図３】
2012243795.tif 000005
【図４】
2012243795.tif 000006
【図５】
2012243795.tif 000007
【図６】
2012243795.tif 000008
【図７】
2012243795.tif 000009
【図８】
2012243795.tif 000010
【図９】
2012243795.tif 000011
【図１０】
2012243795.tif 000012
【図１１】
2012243795.tif 000013
【図１２】
2012243795.tif 000014
【図１３】
2012243795.tif 000015
【図１４】
2012243795.tif 000016
【図１５】
2012243795.tif 000017
【図１６】
2012243795.tif 000018
【図１７】
2012243795.tif 000019